(57)【特許請求の範囲】
【請求項１】
仕切り壁を介して互いに隣接される浴室と器具配置室とを連通させる態様で前記仕切り壁に形成された貫通の連通穴に配置される壁面区画構造体であって、前記連通穴の途中部で該連通穴の前記浴室寄りの領域と前記器具配置室寄りの領域とを仕切る態様で配置されるブロック状の壁板部を備え、該壁板部には該壁板部を前記連通穴に挿入するときに底面となる側と上面となる側とに、前記連通穴の壁面と当接して前記壁板部の前記連通穴内でのがたつきを防止するとともに前記壁板部の底面および上面と前記連通穴のそれぞれの対向壁面との間に隙間を形成するためのボルトが設けられており、前記壁板部には該壁板部を貫通して前記浴室と前記器具配置室とを連通させる貫通孔が１つ以上形成されており、該貫通孔には前記器具配置室に配置される燃焼器具の配管または電気配線を挿入する挿入管路が嵌合して前記壁板部と一体的に形成され、前記挿入管路の両端側は前記貫通孔から先方に突出させて設けられていることを特徴とする壁面区画構造体。
【請求項２】
仕切り壁を介して互いに隣接される浴室と器具配置室とを連通させる態様で前記仕切り壁に形成された貫通の連通穴に配置される壁面区画構造体であって、前記連通穴の途中部で該連通穴の前記浴室寄りの領域と前記器具配置室寄りの領域とを仕切る態様で配置されるブロック状の壁板部を備え、該壁板部には該壁板部を貫通して前記浴室と前記器具配置室とを連通させる貫通孔が１つ以上形成されており、該貫通孔には前記器具配置室に配置される燃焼器具の配管または電気配線を挿入する挿入管路が嵌合して前記壁板部と一体的に形成され、前記挿入管路の両端側は前記貫通孔から先方に突出させて設けられており、前記壁板部は四角の外観形状を呈し、その角部の少なくとも一つは丸みを帯びた形状に形成されていることを特徴とする壁面区画構造体。
【請求項３】
貫通孔の内壁と挿入管路の外周との間には、予め定められた発砲温度以上の温度に達したときに発砲し前記挿入管路を内側に向けて押し潰す熱膨張性樹脂が設けられていることを特徴とする請求項１または請求項２記載の壁面区画構造体。
【請求項４】
壁板部の浴室側に対向する面には該壁板部の外縁部から浴室側に向けて突出する突出壁部が形成されていることを特徴とする請求項１または請求項２または請求項３記載の壁面区画構造体。
【請求項５】
仕切り壁を介して互いに隣接される浴室と器具配置室とを連通させる態様で前記仕切り壁に形成された貫通の連通穴に、請求項１乃至請求項４のいずれか一つに記載の壁面区画構造体が配置されて前記浴室と前記器具配置室とが壁板部により区分けされていることを特徴とする区画壁面構造。
【請求項６】
仕切り壁を介して互いに隣接される浴室と器具配置室とを連通させる態様で前記仕切り壁に形成された貫通の連通穴に、請求項４記載の壁面区画構造体が、突出壁部の先端面が仕切り壁の浴室側の壁面とほぼ同一面となるようにして配置され、前記浴室と前記器具配置室とが壁板部により区分けされていることを特徴とする区画壁面構造。
【発明の詳細な説明】
【技術分野】
【０００１】
本発明は、貫通の連通穴を有する壁により仕切られた浴室と器具配置室とを区画するために、前記連通穴に設けて用いられる壁面区画構造体およびそれを用いた区画壁面構造に関するものである。
【背景技術】
【０００２】
図９には、従来の燃焼装置の一例である風呂釜５０の配置構成例が示されている。同図に示されるように、風呂釜５０は、浴室３０内に配置され、浴槽２７に隣接して設けられている。なお、図９において、風呂釜５０内が透かした状態で模式的に示されており、風呂釜５０には、バーナ４６と、該バーナ４６によって加熱される熱交換器４３とが設けられている。風呂釜５０には、該風呂釜５０のバーナ４６にガスを供給するガス管（図示せず）と、熱交換器４３に水を供給する給水管（図示せず）と、電源接続用の電気配線（図示せず）とが接続されている。また、風呂釜５０には、バーナ４６の燃焼により生じた排気を外部に導出するための排気筒４９が接続されている。
【０００３】
排気筒４９は、浴室３０に隣接して設けられたチャンバ室３１内に配置されている。チャンバ室３１は、仕切り壁１０を介して浴室３０に隣接されており、例えばその幅Ｗは５０ｃｍ、奥行きＴは８０ｃｍである。排気筒４９は、仕切り壁１０に形成された貫通の連通穴９を通してチャンバ室３１に導入され、排気筒４９の排気口４８は、チャンバ室３１の上端側に設けられた排気導出部４７に接続されている。連通穴９には、浴室３０の壁面に沿って支持板４５が配置されて、排気筒４９の外周側に設けられており、この支持板４５によって排気筒４９が支持されると共に、浴室３０がチャンバ室３１と仕切られている。風呂釜５０のバーナ４６の燃焼により生じた排気は、図の矢印に示すように、排気筒４９を通り、その排気口４８から、（チャンバ室３１に隣接した）共用廊下３２側に排出される。
【０００４】
図８には、従来の燃焼装置の別の例である風呂給湯装置４０の配置構成例が示されており（例えば、特許文献１、参照。）、同図において、図９に示した構成と同一名称部分には同一符号が付してある。風呂給湯装置４０は、例えば前記風呂釜５０の買い換えの際に適用されるものであり、前記チャンバ室３１内に配置されている。このように、風呂給湯装置４０を、チャンバ室３１に配置すると、浴室３０内に風呂釜５０を設けなくてすむ分だけ浴室３０を広く利用できるようになり、図９に示した構成に比べて大きな浴槽２７を浴室３０内に配置することができる利点がある。
【０００５】
図８に示す構成においては、風呂給湯装置４０に接続されたガス管や給水管等の配管４１や電気配線（図示せず）が板金４４（４４ａ，４４ｂ）を通して浴室３０内に導かれ、配管４１は浴室３０内に設けられている図示されていないガス供給接続部や給水接続部に接続され、電気配線は電源やリモコンに接続されている。なお、同図では板金４４ａを透かして示している。板金４４ａ，４４ｂには、それぞれ、配管４１や電気配線を通すための複数の穴が設けられており、この穴に対応する配管４１または電気配線が通されている。板金４４は、連通穴９の開口部の壁面に固定され、仕切り壁１０の配設領域が、建築基準法施行令百二十九条の二の五の七で規定されている防火区画等である場合には、モルタル１１等の不燃材を配置して、連通穴９を塞ぐことにより防火処理が施されている。
【０００６】
つまり、図７（ａ）の模式的な断面図に示されるように、連通穴９の一方側の開口部を塞ぐように、チャンバ室３１側の壁面に板金４４ａが配置され、他方側の開口部を塞ぐように、浴室３０側の壁面に板金４４ｂを配置され、板金４４ａと板金４４ｂとの間（電気配線４２を挿入する管３９や配管４１の間の隙間）にモルタル１１等の不燃材が設けられて連通穴９がふさがれている。なお、図７（ａ）において、符号１２は、連通穴９の縁部に設けられている木枠を示す。
【先行技術文献】
【特許文献】
【０００７】
【特許文献１】特開２００３−１５４０２１号公報
【発明の概要】
【発明が解決しようとする課題】
【０００８】
ところで、従来、図８に示したような風呂給湯装置４０の配設構成において、連通穴９が、建築基準法施行令百二十九条の二の五の七で規定されている防火区画等の場合には、風呂給湯装置４０の配管４１や、電気配線４２を通した管３９を、浴室３０側に固定した板金４４ｂの穴に通して、チャンバ室３１側から配管４１や管３９の間にモルタル１１等の不燃材を配置して（塗って）、連通穴９を塞ぐ作業を行わなければならない（板金４４ａは、モルタル１１等の不燃材の配置後に設けられる）。
【０００９】
しかしながら、チャンバ室３１は、前記の如く、幅が５０ｃｍで狭いので、そのチャンバ室３１側からモルタル１１等の不燃材を配置する作業は、図６の模式図に示すような態様で行わなければならず、非常にやりにくかった。特に、最近では、器具の能力アップや環境を配慮しての効率アップに伴い、図５に示すように、風呂給湯装置４０の長さを長くしたものが用いられるようになり、この場合、配管４１の下端側がＵ字型に形成されて、配管４１が連通穴９よりも下側まで伸びた態様であるために、前記のようにして、モルタル１１等の不燃材を設ける作業は、非常にやりにくく、困難を極める。
【００１０】
また、従来のように、板金４４を設ける構成においては、板金４４ｂが仕切り壁１０の浴室３０側の壁面に設けられるために、図７（ｂ）に示すように、板金４４ｂから突出させた配管４１が浴室３０の壁面から先方に突きだした態様になる。そのため、浴槽２７を仕切り壁１０の壁面に当接させて配置すると、配管４１が浴槽２７の側面に干渉してしまう。一方、図７（ｃ）に示すように、配管４１が浴槽２７の側面に干渉しないように浴槽２７を配置すると、浴槽２７と仕切り壁１０の壁面との間に隙間ができてしまい、浴槽３０内の有効スペースが狭くなり、また、美観上の問題も生じてしまう。
【００１１】
本発明は、上記課題を解決するためになされたものであり、その目的は、器具配置室と浴室との仕切り壁の連通穴に簡単に配置でき、器具配置室側の燃焼器具と浴室側の浴槽との接続態様を最適にすることによって、浴室内の有効スペースを広くでき、美観も良好にできる壁面区画構造体およびそれを用いた区画壁面構造を提供することにある。
【課題を解決するための手段】
【００１２】
本発明は上記目的を達成するために、次の構成をもって課題を解決する手段としている。すなわち、第１の発明の壁面区画構造体は、仕切り壁を介して互いに隣接される浴室と器具配置室とを連通させる態様で前記仕切り壁に形成された貫通の連通穴に配置される壁面区画構造体であって、前記連通穴の途中部で該連通穴の前記浴室寄りの領域と前記器具配置室寄りの領域とを仕切る態様で配置されるブロック状の壁板部を備え、該壁板部には該壁板部を前記連通穴に挿入するときに底面となる側と上面となる側とに、前記連通穴の壁面と当接して前記壁板部の前記連通穴内でのがたつきを防止するとともに前記壁板部の底面および上面と前記連通穴のそれぞれの対向壁面との間に隙間を形成するためのボルトが設けられており、前記壁板部には該壁板部を貫通して前記浴室と前記器具配置室とを連通させる貫通孔が１つ以上形成されており、該貫通孔には前記器具配置室に配置される燃焼器具の配管または電気配線を挿入する挿入管路が嵌合して前記壁板部と一体的に形成され、前記挿入管路の両端側は前記貫通孔から先方に突出させて設けられている構成をもって課題を解決する手段としている。
【００１３】
また、第２の発明の壁面区画構造体は、仕切り壁を介して互いに隣接される浴室と器具配置室とを連通させる態様で前記仕切り壁に形成された貫通の連通穴に配置される壁面区画構造体であって、前記連通穴の途中部で該連通穴の前記浴室寄りの領域と前記器具配置室寄りの領域とを仕切る態様で配置されるブロック状の壁板部を備え、該壁板部には該壁板部を貫通して前記浴室と前記器具配置室とを連通させる貫通孔が１つ以上形成されており、該貫通孔には前記器具配置室に配置される燃焼器具の配管または電気配線を挿入する挿入管路が嵌合して前記壁板部と一体的に形成され、前記挿入管路の両端側は前記貫通孔から先方に突出させて設けられており、前記壁板部は四角の外観形状を呈し、その角部の少なくとも一つは丸みを帯びた形状に形成されていることを特徴とする。
【００１４】
さらに、第３の発明の壁面区画構造体は、前記第１または第２の発明の構成に加え、前記貫通孔の内壁と挿入管路の外周との間には、予め定められた発砲温度以上の温度に達したときに発砲し前記挿入管路を内側に向けて押し潰す熱膨張性樹脂が設けられていることを特徴とする。
【００１５】
さらに、第４の発明の壁面区画構造体は、前記第１または第２または第３の発明の構成に加え、前記壁板部の浴室側に対向する面には該壁板部の外縁部から浴室側に向けて突出する突出壁部が形成されていることを特徴とする。
【００１６】
さらに、第５の発明の区画壁面構造は、仕切り壁を介して互いに隣接される浴室と器具配置室とを連通させる態様で前記仕切り壁に形成された貫通の連通穴に、前記第１乃至第４のいずれか一つの発明の壁面区画構造体が配置されて前記浴室と前記器具配置室とが壁板部により区分けされていることを特徴とする。
【００１７】
さらに、第６の発明の区画壁面構造は、仕切り壁を介して互いに隣接される浴室と器具配置室とを連通させる態様で前記仕切り壁に形成された貫通の連通穴に、前記第４の発明の壁面区画構造体が、突出壁部の先端面が仕切り壁の浴室側の壁面とほぼ同一面となるようにして配置され、前記浴室と前記器具配置室とが壁板部により区分けされていることを特徴とする。
【発明の効果】
【００１８】
本発明によれば、壁面区画構造体はブロック状の壁板部を有し、該壁板部は、浴槽と器具配置室とを仕切る仕切り壁に形成された貫通の連通穴の途中部で、該連通穴の前記浴室寄りの領域と前記器具配置室寄りの領域とを仕切る態様で配置されるものであり、この壁板部を連通穴の途中部に設けることにより、壁面区画構造体を容易に配設して、浴室と器具配置室とを仕切ることができる。また、壁板部に形成された貫通孔には、器具配置室に配置される燃焼器具の配管または電気配線を挿入する挿入管路が嵌合して前記壁板部と一体的に形成され、前記挿入管路の両端側は前記貫通孔から先方に突出させて設けられているので、挿入管路に燃焼器具の配管や電気配線を挿入して、浴室側に設けられている接続部と容易に接続することができる。
【００１９】
さらに、壁板部は、連通穴の途中部に設けられているので、連通穴の開口部に、浴室の壁面に沿って板金を設ける従来例と異なり、壁板部から突出させる挿入管路の突出先端を連通穴からは突出させずに設けることもでき、燃焼器具の配管や電気配線を連通穴から突出させずに配設することができる。したがって、浴槽を浴室の壁面につけて配置しても、配管等が邪魔になることがなく、配管等を浴槽の側面と浴室壁面との間に配設することができるので、浴室の有効スペースを広くでき、美観も良好にできる。さらに、壁板部を連通穴に挿入するときに底面となる側と上面となる側の壁板部に、連通穴の壁面に当接して壁板部の連通穴内でのがたつきを防止するとともに前記壁板部の底面および上面と前記連通穴のそれぞれの対向壁面との間に隙間を形成するためのボルトを設けることにより、壁板部をがたつきなく配置でき、壁面区画構造体を連通穴に挿入する作業を浴室側から容易に行え、前記隙間に設けられるモルタル等の不燃材により壁面区画構造体の周囲と連通穴の内壁との隙間を塞ぐ作業も浴室側から行うことにより、幅５０ｃｍの狭い器具配置室に入ることなく作業ができるため、壁面区画構造体の配設固定作業が行いやすい。
【００２０】
また、本発明において、壁面区画構造体の壁板部の貫通孔の内壁と挿入管路の外周との間には、予め定められた発砲温度以上の温度に達したときに発砲し、前記挿入管路を内側に向けて押し潰す熱膨張性樹脂が設けられているものにおいては、火災が生じたときに、その熱により熱膨張性樹脂が発泡して挿入管路を内側に向けて押しつぶすので、たとえ火災の熱によって挿入管路が溶けてしまったりしても、挿入管路と壁板部の貫通孔との隙間を無くすことができる。そのため、防災上の安全性を非常に高めることができる。
【００２１】
さらに、本発明において、壁面区画構造体の壁板部は四角の外観形状を呈し、その角部の少なくとも一つは丸みを帯びた形状に形成されているものにおいては、壁面区画構造体の設置をより行い易くできる。つまり、壁面区画構造体の連通穴への配設時に、丸みを帯びた形状の角部の対角を連通穴の底面に当接させた状態で壁板部を斜めに傾けて配置し、壁板部の底面（連通穴に配設したときに、底面となる面）と連通穴の底面との間に、例えばモルタルを設けた後に、前記対角を軸として壁板部を回動させて壁板部の底面を連通穴の底面にモルタルを介して固定する。
【００２２】
このようにすると、ブロック状の壁板部を回動によって、容易に連通穴に配設することができ、また、回動される側の角部が丸みを帯びた形状に形成されていることから、壁板部の回動後に、その上面と連通穴の天面との間の隙間が殆どないように、壁板部を配設することができる。したがって、壁板部を適切に配設することができ、壁板部を連通穴に固定するために設けるモルタルの量を少なくできるので、より容易に、壁面区画構造体を連通穴に配設固定できる。なお、モルタルの代わりに、同様の機能を有する不燃材を適用することもできる。
【００２３】
さらに、本発明において、壁板部の浴室側に対向する面には該壁板部の外縁部から浴室側に向けて突出する突出壁部が形成されている構成によれば、この突出壁部の先端面が仕切り壁の浴室側の壁面とほぼ同一面となるようにして配置することにより、壁面区画構造体の配設位置の位置あわせをより容易にできる。
【図面の簡単な説明】
【００２４】
【図１】本発明に係る壁面区画構造体の一実施例を仕切り壁の連通穴に配設した状態で示す断面説明図である。
【図２】実施例の壁面区画構造体を示す斜視図である。
【図３】実施例の壁面区画構造体を仕切り壁の連通穴に配置する作業を説明するための模式的な断面説明図である。
【図４】他の実施例の壁面区画構造体を示す斜視図である。
【図５】燃焼装置のチャンバ室への配置構成を説明するための説明図である。
【図６】仕切り壁の連通穴にモルタルを設ける従来の作業を説明するための模式図である。
【図７】仕切り壁の連通穴に配管を設けて連通穴を塞ぐための従来の構造を説明するための説明図である
【図８】従来の燃焼装置のチャンバ室への配置構成と区画壁面構造を説明するための説明図である。
【図９】従来の燃焼装置の浴室への配置構成を説明するための説明図である。
【発明を実施するための形態】
【００２５】
以下、本発明の実施の形態を図面に基づき説明する。なお、本実施例の説明において、従来例と同一名称部分には同一符号を付し、その重複説明は省略または簡略化する。
【実施例】
【００２６】
図１（ａ）には、本発明の実施例の壁面区画構造体１が、仕切り壁１０の連通穴９に配設された状態で、模式的な断面図により示されている。同図に示されるように、本実施例の壁面区画構造体１は、連通穴９に配置されるものであり、ブロック状の壁板部２を備えている。壁板部２は、連通穴９の途中部で、該連通穴９の浴室３０寄りの領域とチャンバ室３１寄りの領域とを仕切る態様で配置される。壁板部２は、セメントモルタルにより形成されており、図２に示すように、壁板部２は四角の外観形状を呈し、その角部の少なくとも一つは丸みを帯びた形状に形成されている。なお、本実施例では、二カ所の角部において、その厚み方向に丸みを帯びた形状に形成されている。また、壁板部２には、壁板部２を連通穴９に固定するためのボルト７が、壁板部２の両端側（図２においては一端側のみ図示）に、例えば２個ずつ設けられている。
【００２７】
本実施例において、壁板部２の大きさは、例えば高さ３３ｃｍ、幅２２ｃｍ、厚み１０ｃｍである。浴室３０とチャンバ室３１とを仕切る仕切り壁１０の配設領域が、建築基準法施行令百二十九条の二の五の七で規定されている防火区画等の場合、浴室３０とチャンバ室３１とを仕切る壁の厚みは、例えば鉄筋コンクリートの場合、１０ｃｍ以上必要であるが、本実施例では、セメントモルタル製の壁板部２の厚みを１０ｃｍとすることにより、壁板部２を耐火構造の壁として機能させることができる。壁板部２の浴室３０側に対向する面には、該壁板部２の外縁部から浴室３０側に向けて突出する突出壁部６が形成されており、突出壁部６の突出高さは３ｃｍ、壁厚は３ｃｍに形成されている。
【００２８】
壁板部２には、該壁板部２を貫通して、浴室３０と器具配置室としてのチャンバ室１３とを連通させる貫通孔４が１つ以上（ここでは３つ）形成されている。貫通孔４には、チャンバ室１３に配置される風呂給湯装置４０等の燃焼器具の配管４１または電気配線４２を挿入する樹脂製の挿入管路３（３ａ，３ｂ，３ｃ）が嵌合し、該挿入管路３が壁板部２と一体的に形成されている。貫通孔４の内壁と挿入管路３の外周との間には、予め定められた発砲温度（例えば４００℃）以上の温度に達したときに発砲し、挿入管路３を内側に向けて押し潰す熱膨張性樹脂５が設けられている。
【００２９】
挿入管路３（３ａ，３ｂ，３ｃ）の両端側は、貫通孔４から先方に突出させて設けられており、例えば図１（ｂ）に示すように、挿入管路３ａ，３ｂには配管４１が挿入され、挿入管路３ｃには電気配線４２が挿入される。電気配線４２の外周側と挿入管路３ｃの内壁との間には、この間の隙間を埋めるシーリング剤８が設けられる。なお、挿入管路３には、電気配線４２と配管４１のいずれかが、適宜挿入されるものであり、風呂給湯装置４０等の燃焼機器の配管４１の数や電気配線４２の数に対応させて、適宜の本数の挿入管路３が壁板部２に挿入固定される。
【００３０】
本実施例は以上のように構成されており、作業者が浴室３０側に立って壁面区画構造体１を持ち、例えば、図３（ａ）に示すように、壁板部２の丸みを帯びた形状の角部の対角を連通穴９の底面９ａに当接させた状態で壁板部２を斜めに傾けて配置する。なお、壁板部２の底面２ａ（連通穴に配設したときに、底面となる面）と連通穴９の底面９ａとの間には、例えばモルタル１１等の不燃材を設ける。そして、図の矢印に示すように、前記対角を軸として壁板部２を回動させ、図３（ｂ）に示すように、壁板部２の底面２ａを連通穴９の底面９ａにモルタル１１等の不燃材を介して固定する。なお、ボルト７の壁板部２からの突出長さを調節することにより、壁面区画構造体１を連通穴９にがたつきがない状態に配置して固定することができる。そして、壁板部２の上面や側面および突出壁部６の外周面と連通穴９との隙間には、モルタル１１等の不燃材を塗って、壁面区画構造体１を連通穴９に隙間無く固定する。なお、壁面区画構造体１の連通穴９への配設固定に際し、突出壁部６の先端面が仕切り壁１０の浴室３０側の壁面とほぼ同一面となるようにして配置する。
【００３１】
本実施例では、前記の如く、壁板部２の角部に丸みを形成することにより、図３に示すような配置動作の際、同図の破線に示す丸みを形成していない態様と異なり、壁板部２の角部が連通穴９の上側の内壁面に当たることを防げるので、連通穴９の高さに対応する大きさの壁板部２を有する壁面区画構造体１を形成できる。そのため、壁面区画構造体１と連通穴９の上側の内壁面との隙間を小さくでき、この隙間を埋めるモルタル１１等の不燃材の量を少なくでき、モルタル１１等の不燃材を配置する作業もより短時間で行うことができる。
【００３２】
以上のようにして、本実施例の壁面区画構造体１を連通穴９に配設固定することにより、浴室３０とチャンバ室３１とが壁板部２により区分けされた区画壁面構造が形成される。
【００３３】
なお、本発明は前記実施例に限定されることなく、様々な実施の形態を採り得る。例えば、前記実施例の壁面区画構造体１は、壁板部２の浴室３０側に対向する面に、壁板部２の外縁部から浴室３０側に向けて突出する突出壁部６が形成されていたが、例えば図４（ａ）、（ｂ）に示すように、突出壁部６は省略することもできるし、図４（ａ）の破線に示すように、突出壁部６を壁板部２の上下の外縁部のみに形成することもできるし、左右の外縁部のみに形成することもできる。このように、突出壁部６の形成態様は特に限定されるものでなく、適宜設定されるものである。
【００３４】
また、壁板部２の角部に丸みを形成する場合に、図４（ａ）のような態様としてもよいし、図４（ｂ）に示すように、厚み方向の対角位置に丸みを形成してもよいし、壁板部２の形状は適宜設定されるものである。また、その大きさも、連通穴９の大きさ等に対応させて適宜設定されるものである。
【００３５】
さらに、壁面区画構造体１を連通穴９に配設する仕方は、前記実施例に適用した方法とするとは限らず、例えば壁板部２の角部への丸みの形成位置に対応させて設定する等、適宜設定されるものである。例えば、壁板部２の一つの角部を連通穴９の底面９ａに接するようにし、壁面区画構造体１を連通穴９から前方に突出させ、かつ、斜めに傾けて配置した後、壁板部２を、前記連通穴９の底面９ａに接する角部を軸として水平方向に回動させ、その後、垂直方向に回動させる方法を用いてもよい。
【００３６】
さらに、前記実施例では、壁面区画構造体１の壁板部２の両端側に、２つずつボルト７を設けたが、ボルト７の配設形態は特に限定されるものではなく、適宜設定されるものであり、また、ボルト７を省略することもできる。
【産業上の利用可能性】
【００３７】
本発明の壁面区画構造体および区画壁面構造は、浴室と器具配置室とをその連通穴内で仕切り、その際、器具配置室に設けられる燃焼機器の配管や電気配線を浴室側に通すことができるので、浴室と器具配置室とを仕切りながら、浴室内の浴槽と器具配置室内の燃焼機器の接続もできる構造として利用できる。
【符号の説明】
【００３８】
１      壁面区画構造体
２      壁板部
３      挿入管路
４      貫通孔
５      熱膨張製樹脂
６      突出壁部
９      連通穴
１０    仕切り壁
１１    モルタル
【図１】
0005400531.tif 000002
【図２】
0005400531.tif 000003
【図３】
0005400531.tif 000004
【図４】
0005400531.tif 000005
【図５】
0005400531.tif 000006
【図６】
0005400531.tif 000007
【図７】
0005400531.tif 000008
【図８】
0005400531.tif 000009
【図９】
0005400531.tif 000010